【手続補正書】
【提出日】平成30年1月31日(2018.1.31)
【手続補正１】
【補正対象書類名】特許請求の範囲
【補正対象項目名】全文
【補正方法】変更
【補正の内容】
【特許請求の範囲】
【請求項１】
デバイスであって、
選択された場合に１つ以上の画像の捕捉を開始するユーザエレメントを含むカメラと、
１つ以上のプロセッサと、
前記１つ以上のプロセッサのうちの少なくとも１つを使用して実装され、前記ユーザエレメントの夫々の選択に応答して複数の画像を捕捉するように前記カメラを制御するよう構成される制御ロジックと、
前記１つ以上のプロセッサのうちの少なくとも１つを使用して実装され、夫々の複数の画像から画像シーケンスを生成するよう構成される画像シーケンスロジックと、
前記１つ以上のプロセッサのうちの少なくとも１つを使用して実装され、夫々の複数の画像について、当該複数の画像から生成された前記画像シーケンスに対する参照を含むメタデータを、当該複数の画像から選択されたプライマリ画像と関連付けるよう構成されるメタデータロジックと
を有し、
前記制御ロジックは、当該デバイスが特定の機能を有しているかどうかに少なくとも部分的に基づき、夫々の複数の画像について、当該複数の画像に関連する静止画像又は当該複数の画像から生成された前記画像シーケンスを、ディスプレイ上の仮想要素において表示させるよう更に構成され、
前記制御ロジックは、当該デバイスが前記特定の機能を有していることに少なくとも部分的に基づき、前記画像シーケンスにアクセスするように前記プライマリ画像と関連付けられた前記メタデータにおける前記参照を使用することにより、前記画像シーケンスを前記仮想要素において表示させるよう構成され、
前記制御ロジックは、当該デバイスが前記特定の機能を有していないことに少なくとも部分的に基づき、前記静止画像を前記仮想要素において表示させるよう構成される、
デバイス。
【請求項２】
前記１つ以上のプロセッサのうちの少なくとも１つを使用して実装され、当該デバイスのデフォルト設定に従って、特定の期間の経過に応答して夫々のメタデータを削除するよう構成される削除ロジック
を更に有する請求項１に記載のデバイス。
【請求項３】
前記削除ロジックは、指定されたメタデータによって参照される前記画像シーケンスが、対応する前記静止画像の代わりに表示されるよう選択されたことに少なくとも部分的に基づき、前記指定されたメタデータを削除しないことで前記デフォルト設定をオーバーライドするよう構成される、
請求項２に記載のデバイス。
【請求項４】
前記１つ以上のプロセッサのうちの少なくとも１つを使用して実装され、当該デバイスに対するジェスチャを検出するよう構成されるジェスチャロジックを更に有し、
表示されるよう選択される表現は、捕捉された複数の画像の中の前記プライマリ画像であるよう設定され、
前記制御ロジックは、前記ジェスチャの検出に応答して、前記捕捉された複数の画像の中の前記プライマリ画像から、前記捕捉された複数の画像から生成された前記画像シーケンスへ変えるよう更に構成される、
請求項１に記載のデバイス。
【請求項５】
メタデータに基づく写真アニメーション及びメタデータに基づく映像アニメーションのうちの少なくとも１つを提供する方法であって、
プロセッサベースのシステムのプロセッサが、選択された場合に１つ以上の画像の捕捉を開始するユーザエレメントを有するカメラを、前記ユーザエレメントの夫々の選択に応答して複数の画像を捕捉するように制御するステップと、
前記プロセッサが、夫々の複数の画像から画像シーケンスを生成するステップと、
前記プロセッサが、夫々の複数の画像について、当該複数の画像から生成された前記画像シーケンスに対する参照を含むメタデータを、当該複数の画像から選択されたプライマリ画像と関連付けるステップと、
前記プロセッサが、前記プロセッサベースのシステムが特定の機能を有しているかどうかに少なくとも部分的に基づき、夫々の複数の画像について、当該複数の画像に関連する静止画像又は当該複数の画像から生成された前記画像シーケンスを、ディスプレイ上の仮想要素において表示させるステップと
を有し、
前記画像シーケンスは、前記プロセッサベースのシステムが前記特定の機能を有していることに少なくとも部分的に基づき、前記画像シーケンスにアクセスするように前記プライマリ画像と関連付けられた前記メタデータにおける前記参照を使用することにより、前記仮想要素において表示され、
前記静止画像は、前記プロセッサベースのシステムが前記特定の機能を有していないことに少なくとも部分的に基づき、前記仮想要素において表示される、
方法。
【請求項６】
前記プロセッサが、１つ以上の特定の基準のうちの少なくとも１つが満足されない限りは、前記カメラを含むデバイスのデフォルト設定に従って、特定の期間の経過に応答して夫々のメタデータを削除するステップ
を更に有する請求項５に記載の方法。
【請求項７】
前記１つ以上の特定の基準は、各々のメタデータによって参照される前記画像シーケンスが、対応する前記静止画像に代えて表示されるよう選択される基準を含む、
請求項６に記載の方法。
【請求項８】
前記プロセッサが、前記特定の期間に関して前記カメラを含む前記デバイスのユーザからの応答を求める問い合わせ要素を含むユーザインターフェイスを提供するステップと、
前記プロセッサが、前記応答に基づき、前記特定の期間を定めるステップと
を更に有する請求項６に記載の方法。
【請求項９】
前記プロセッサが、前記カメラを含むデバイスのユーザが前記画像シーケンスにより表される指定されたプロファイルを選択することを可能にするユーザインターフェイスを提供するステップと、
前記プロセッサが、前記指定されたプロファイルの選択に応答して、前記指定されたプロファイルを表すために前記画像シーケンスを使用するステップと
を更に有する請求項５に記載の方法。
【請求項１０】
プロセッサベースのシステムがメタデータに基づく写真アニメーション及びメタデータに基づく映像アニメーションのうちの少なくとも１つを提供することを可能にするためのプログラムであって、当該プログラムは、前記プロセッサベースのシステムのプロセッサに、
選択された場合に１つ以上の画像の捕捉を開始するユーザエレメントを有するカメラを、前記ユーザエレメントの夫々の選択に応答して複数の画像を捕捉するように制御する動作と、
夫々の複数の画像から画像シーケンスを生成する動作と、
夫々の複数の画像について、当該複数の画像から生成された前記画像シーケンスに対する参照を含むメタデータを、当該複数の画像から選択されたプライマリ画像と関連付ける動作と、
前記プロセッサベースのシステムが特定の機能を有しているかどうかに少なくとも部分的に基づき、夫々の複数の画像について、当該複数の画像に関連する静止画像又は当該複数の画像から生成された前記画像シーケンスを、ディスプレイ上の仮想要素において表示させる動作と
を実行させ、
前記画像シーケンスは、前記プロセッサベースのシステムが前記特定の機能を有していることに少なくとも部分的に基づき、前記画像シーケンスにアクセスするように前記プライマリ画像と関連付けられた前記メタデータにおける前記参照を使用することにより、前記仮想要素において表示され、
前記静止画像は、前記プロセッサベースのシステムが前記特定の機能を有していないことに少なくとも部分的に基づき、前記仮想要素において表示される、
プログラム。